(57)【特許請求の範囲】
【請求項１】
被写体光を撮像する撮像部を備えた撮像装置内の回路部に電力供給を行う通常動作モードと、前記回路部への電力供給を前記通常動作モードよりも制限する低消費電力モードとの間の切換を制御する制御部と、
情報表示可能な表示部と、
前記表示部の表示により、前記撮像に関する条件の設定を使用者にガイドするガイド機能を実行させる第１操作位置、及び前記ガイド機能とは異なる複数の機能をそれぞれ実行させるための複数の第２操作位置の中から、外部操作により、任意の操作位置を選択可能な操作部と、を備え、
前記制御部は、前記低消費電力モードの状態にある場合において、前記操作部により前記第１操作位置への選択操作がなされた場合には、前記低消費電力モードから前記通常動作モードへの切換を実行せしめ、前記操作部により前記第２操作位置への選択操作がなされた場合には、該低消費電力モードの状態を維持せしめること
を特徴とする撮像装置。
【請求項２】
前記通常動作モードを継続させる継続時間を設定可能な設定部を備え、
前記設定部は、前記第１操作位置が選択されている場合における前記継続時間と、前記第２操作位置が選択されている場合における前記継続時間とを独立して設定することを特徴とする請求項１に記載の撮像装置。
【請求項３】
前記操作部による前記第１操作位置への選択操作がなされ、前記低消費電力モードから前記通常動作モードへ切換られた後、前記操作部による前記第２操作位置への選択操作がなされた場合には、前記制御部は、前記通常動作モードから前記低消費電力モードへ切換えることを特徴とする請求項１または請求項２に記載の撮像装置。
【請求項４】
前記操作部による前記第１操作位置への選択操作がなされると、所定の撮影条件に設定されることを特徴とする請求項１から請求項３の何れか一項に記載の撮像装置。
【請求項５】
前記ガイド機能は、前記表示部の表示により、再生の目的に応じた前記再生に関する条件の設定及び前記撮像装置に関する設定を使用者にガイドするガイド機能であることを特徴とする請求項１から請求項３の何れか一項に記載の撮像装置。
【請求項６】
前記制御部は、前記低消費電力モードの状態にある場合において、
前記操作部による前記第１操作位置への選択操作がなされ且つ該操作部が該第１操作位置に所定時間継続して選択され続けた場合に、前記低消費電力モードから前記通常動作モードへ切換えることを特徴とする請求項１から請求項５の何れか一項に記載の撮像装置。
【発明の詳細な説明】
【技術分野】
【０００１】
本発明は、撮像装置に関するものである。
【背景技術】
【０００２】
撮影時における撮影条件、例えばシャッタースピードや絞り値等の設定を、見本画像を選択するだけで行うことができるカメラ装置が提案されている（例えば、特許文献１参照）。このカメラ装置においては、複数の見本画像、及び各見本画像に対応する撮影条件の設定パラメータを予め記憶させておき、これら複数の見本画像と共に、撮影時のアドバイス情報等の付加情報を背面液晶パネルに表示し、撮影者に所望の見本画像を選択させた後、選択された見本画像に対応する設定パラメータに従い、撮影条件を設定する。
【先行技術文献】
【特許文献】
【０００３】
【特許文献１】特開２００５−２９５６０２号公報
【発明の概要】
【発明が解決しようとする課題】
【０００４】
一般的なカメラでは、電源オンの状態であっても、ユーザーによる操作がなされない状態（無操作状態）が所定時間以上継続する場合には、カメラの消費電力を少なくするために、装置内の複数の回路部に電力供給を行う通常動作モードから、複数の回路部への電力供給を通常動作モードよりも制限する低消費電力モードへ切り換えられる。そして、所定操作部材により外部操作（例えば、シャッターボタンの半押し等）がなされると、低消費電力モードから通常動作モードへ再び切り換えられる。
【０００５】
また、様々なシーンに対応する複数の撮影モード、及びガイドに従って様々な設定（撮影、再生及びカメラに関する設定等）を行うためのガイドモードにそれぞれ対応する複数のモード設定位置から、任意の位置（モード）を選択可能なモードダイヤルを備えたカメラも存在する。
【０００６】
カメラが低消費電力モード状態下にあるときに、モードダイヤルを使って何れかの撮影モードが選択された場合、ユーザーは、カメラがどのモードに設定されたかを、そのモードダイヤル上で視認できるので、その選択時点では特にカメラを通常動作モードに切換える必要がなく、低消費電力モードを継続させることが望ましい。一方、低消費電力モード状態下でガイドモードが選択された場合には、ユーザーは様々な設定を行うために背面モニターを見ながら操作を行うことが予想されるため、カメラを通常動作モードに切換ることが望ましい。
【０００７】
しかしながら、モードダイヤルを備えた従来のカメラでは、低消費電力モード状態下では選択操作がなされたとしても、低消費電力モードが継続されていた。したがって、モードダイヤルでガイドモードが選択されたとしても、例えばシャッターボタンを半押しする等して通常動作モードに切換えた後、様々な設定を行う必要があった。また、低消費電力モード状態でモードダイヤルによる選択操作がなされたときに通常動作モードに切換るよう制御した場合、ガイドモードのみならず様々な撮影モードが選択された場合にも通常動作モードに切換ることとなるため、電力を無駄に消費する場合があった。
【０００８】
本発明の目的は、任意の操作位置を選択可能な操作部における操作位置に基づいて通常動作モードと低消費電力モードとの間の切換を行うことにより、消費電力を低減させることができる撮像装置を提供することである。
【課題を解決するための手段】
【０００９】
本発明は以下のような解決手段により上記課題を解決する。なお、理解を容易にするために、本発明の実施の形態に対応する符号を付して説明するが、本発明はこれに限定されるものではない。
【００１０】
本発明の撮像装置は、被写体光を撮像する撮像部（２８）を備えた撮像装置（２）内の回路部に電力供給を行う通常動作モードと、前記回路部への電力供給を前記通常動作モードよりも制限する低消費電力モードとの間の切換を制御する制御部（２６）と、情報表示可能な表示部（１２）と、前記表示部の表示により、前記撮像に関する条件の設定を使用者にガイドするガイド機能を実行させる第１操作位置（１０ａ）、及び前記ガイド機能とは異なる複数の機能をそれぞれ実行させるための複数の第２操作位置（１０ｂ〜１０ｎ）の中から、外部操作により、任意の操作位置を選択可能な操作部（１０）と、を備え、
前記制御部（２６）は、前記低消費電力モードの状態にある場合において、前記操作部（１０）により前記第１操作位置（１０ａ）への選択操作がなされた場合には、前記低消費電力モードから前記通常動作モードへの切換を実行せしめ、前記操作部（１０）により前記第２操作位置（１０ｂ〜１０ｎ）への選択操作がなされた場合には、該低消費電力モードの状態を維持せしめることを特徴とする。
【発明の効果】
【００１１】
本発明の撮像装置によれば、低消費電力モードの状態にある場合に、操作部における選択操作に基づいて通常動作モードと低消費電力モードとの切換を適宜行うことにより、ユーザーにとって必要と思われる場合には、通常動作モードに自動的に移行することでその後のユーザーの使い勝手を向上させることが出来ると共に、ユーザーにとって、必要と思われる通常動作モードへの移行が不必要と思われる場合には低消費電力モードを維持することで消費電力を低減することができる。
【図面の簡単な説明】
【００１２】
【図１】実施の形態に係るカメラの外観を示す上面図である。
【図２】実施の形態に係るカメラの外観を示す背面図である。
【図３】実施の形態に係るモードダイヤルの構成を示す図である。
【図４】実施の形態に係るカメラのシステム構成を示すブロック図である。
【図５】実施の形態に係る背面液晶パネルの表示例を示す図である。
【図６】実施の形態に係る背面液晶パネルの表示例を示す図である。
【図７】実施の形態に係る背面液晶パネルの表示例を示す図である。
【図８】実施の形態に係る背面液晶パネルの表示例を示す図である。
【図９】実施の形態に係る背面液晶パネルの表示例を示す図である。
【図１０】実施の形態に係る背面液晶パネルの表示例を示す図である。
【図１１】実施の形態に係る背面液晶パネルの表示例を示す図である。
【図１２】実施の形態に係る背面液晶パネルの表示例を示す図である。
【図１３】実施の形態に係る背面液晶パネルの表示例を示す図である。
【図１４】実施の形態に係る背面液晶パネルの表示例を示す図である。
【図１５】実施の形態に係る背面液晶パネルの表示例を示す図である。
【図１６】実施の形態に係る背面液晶パネルの表示例を示す図である。
【図１７】実施の形態に係る背面液晶パネルの表示例を示す図である。
【図１８】実施の形態に係る背面液晶パネルの表示例を示す図である。
【図１９】実施の形態に係る背面液晶パネルの表示例を示す図である。
【図２０】実施の形態に係るカメラにおいて、撮影後、確認再生モードへ移行する際の処理について説明するためのフローチャートである。
【発明を実施するための形態】
【００１３】
以下、図面を参照して、本発明の実施の形態に係る撮像装置としてのカメラについて説明する。図１及び図２は、第１の実施の形態に係るカメラ２の外観を示す図であり、図１は上面図、図２は背面図である。図１に示すように、カメラ２の上面には、カメラ２の電源をオンオフする電源スイッチ４、撮影等を指示するためのレリーズスイッチ６、及びガイドモードや様々な撮影モードに切り換えるためのモードダイヤル１０が設けられている。
【００１４】
また、図２に示すように、カメラ２の背面には、画像等を再生表示するための背面液晶パネル１２、記録媒体３０（図４参照）に記録されている画像の再生表示を指示するための再生ボタン１４、カメラ２の各種設定を行うメニュー画面の表示を指示するためのメニューボタン１６、背面液晶パネル１２に再生表示されている画像の縮小表示を指示するための縮小ボタン１８、背面液晶パネル１２に再生表示されている画像の拡大表示を指示するための拡大ボタン２０、メニュー項目等の選択やカーソルを移動させる等のための十字操作キー２２、各種選択項目に対する選択確定操作を行うためのＯＫ（決定）ボタン２３が設けられている。
【００１５】
図３は、モードダイヤル１０の構成を示す図である。図３に示すように、モードダイヤル１０は、外部操作により複数の操作位置１０ａ〜１０ｎを選択可能に構成されている。即ち、ユーザーによりモードダイヤル１０が時計回りまたは反時計回りに回され、指標１１の位置に対向配置された任意の操作位置（図３では、操作位置１０ａ）が選択された操作位置となる。図３に示すように、操作位置１０ａが選択された場合には、カメラ２はガイドモードに設定される。ガイドモードにおいては、撮影に関する設定、再生に関する設定、カメラ２に関する設定を選択可能な画面を、背面液晶パネル１２に表示する機能を実行する。このガイドモードについては、後述する。
【００１６】
また、操作位置１０ｂが選択された場合にはオート撮影モードに設定され、オート撮影モードにおいては、カメラ２において撮影条件等を例えば測光結果や測距結果などの各種測定値に基づいてカメラ２が自動で設定（例えば、プログラム露出モード、低輝度時自動発光モード、オートフォーカス、オートホワイトバランス等）し、撮影を実行する。また、操作位置１０ｃが選択された場合には、非発光での撮影を実行させるための発光禁止用撮影モードに、操作位置１０ｄが選択された場合には、人物を撮影するのに最適な撮影条件(露出を決めるシャッター秒時と絞り値など)が設定されるポートレート用撮影モードに、操作位置１０ｅが選択された場合には、風景を撮影するのに最適な撮影条件が設定される風景用撮影モードに、操作位置１０ｆが選択された場合には、子供を撮影するのに最適な撮影条件が設定される子供スナップ用撮影モードに、操作位置１０ｇが選択された場合には、スポーツ等の一瞬の動きを撮影するのに最適な撮影条件が設定されるスポーツ用撮影モードに、操作位置１０ｈが選択された場合には、草花や昆虫を接写するのに最適な撮影条件が設定されるクローズアップ用撮影モードに、操作位置１０ｉが選択された場合には、夜景や夕景をバックに人物を撮影するのに最適な撮影条件が設定される夜景ポートレート用撮影モードに、それぞれカメラ２が設定される。また、操作位置１０ｊが選択された場合には、シャッタースピード及び絞り値をユーザーが手動で設定して撮影するマニュアル露出モードに、操作位置１０ｋが選択された場合には、絞り値をユーザーが手動で設定して撮影する絞り優先露出モードに、操作位置１０ｍが選択された場合には、シャッタースピードを手動で設定して撮影するシャッター優先露出モードに、操作位置１０ｎが選択された場合には、シャッタースピードと絞りをカメラ２が自動で設定して撮影するプログラム露出モードに設定される。
【００１７】
図４は、第１の実施の形態に係るカメラ２のシステム構成を示すブロック図である。図４に示すように、カメラ２は、制御部２６、撮像素子２８、記録媒体３０、背面液晶パネル１２、電源スイッチ４、レリーズスイッチ６、モードダイヤル１０、再生ボタン１４、メニューボタン１６、縮小ボタン１８、拡大ボタン２０、十字操作キー２２、及びＯＫ（決定）ボタン２３を備えて構成されている。
【００１８】
制御部２６は、ＣＰＵ等により構成され、カメラ２の各部を統括的に制御する。この実施の形態では、カメラ２内の制御部２６や背面液晶パネル１２等に電力供給を行う通常動作モードと、カメラ２内の制御部２６や背面液晶パネル１２等への電力供給を通常動作モードより制限する低消費電力モードとの間の切換（移行）を制御する。
【００１９】
撮像素子２８は、ＣＣＤまたはＣＭＯＳ等により構成され、図示しない撮影レンズを透過した被写体からの被写体光を撮像する。記録媒体３０は、カメラ２に設けられた記録媒体差込口（図示せず）に着脱可能に装着される可搬性を有する記録媒体である。記録媒体３０には、撮像素子２８から出力された撮像信号に基づき生成された画像データ等、複数の画像データが撮影日時、絞り値、シャッタースピード等、その他画像に関する情報と共に、Ｅｘｉｆ（Ｅｘｃｈａｎｇａｂｌｅ  ｉｍａｇｅ  ｆｉｌｅ  ｆｏｒｍａｔ）等の所定の形式で記録されている。
【００２０】
背面液晶パネル１２は、撮像素子２８から読出された撮像信号に基づくスルー画像、記録媒体３０に記録されている画像データから形成される画像、記録媒体３０に記録されている画像に関する情報、及びメニュー画面等を表示する。
【００２１】
次に、この実施の形態に係るモードダイヤル１０の操作位置１０ａに対応するガイドモードについて説明する。ユーザーにより操作位置１０ａが選択されると、制御部２６は、ガイドモードに移行し、図５に示すように、背面液晶パネル１２に、画面３２を表示する。画面３２には、撮影に関する設定及び撮影以外の機能に関する設定を選択可能な項目「撮る」「見る・消す」「設定する」が表示される。ユーザーは、撮影に関する設定を行う場合には「撮る」を、再生または削除に関する設定を行う場合には「見る・消す」を、カメラ２に関する設定を行う場合には「設定する」を、十字操作キー２２を用いて選択する。なお、図５においては、「撮る」が選択されている。また、画面３２には、図５に示すように、３つの選択可能な項目と共に、現在ガイドモード内のガイドメニューに入っていることを示す「ガイドメニュー」の文字表示、カメラ２に電力を供給するバッテリの残容量を示す残容量マーク３２ａ、現在設定されている撮影モードを示す撮影モードマーク３２ｂ、記録媒体３０の残容量に対して記録可能なコマ数３２ｃ、記録可能コマ数が１０００コマ以上ある場合に表示される補助表示３２ｄ等が表示される。そして、これら残容量マーク３２ａ、撮影モードマーク３２ｂ、記録可能なコマ数３２ｃ、補助表示３２ｄ等は、ガイドモード状態で次の画面が表示される等、背面液晶パネル１２に表示される画面が変化した場合においても常に表示される。
【００２２】
この実施の形態では、他の撮影モード（操作位置１０ｂ〜１０ｎ）からガイドモード（操作位置１０ａ）に移行すると、カメラ２はまず自動的に、ガイドモード下のオート撮影モードに設定される。オート撮影モードは、カメラ２において撮影条件等を自動で設定（例えば、プログラム露出モード、低輝度時自動発光モード、オートフォーカス、オートホワイトバランス等）し、撮影を実行させるためのモードである。したがって、ユーザーが撮影に関する設定を未だ行っていなくても、例えば図５に示す画面３２が表示されている状態であっても、ユーザーは（オート撮影モードで）撮影を実行可能である。この場合には、撮影条件等が自動で設定されるため、撮影に失敗する率は少ない。
【００２３】
次に、ユーザーにより十字操作キー２２を用いて「撮る」が選択され、ＯＫ（決定）ボタン２３が押下されると、制御部２６は、図６に示すように、撮影に関する設定を行うための画面３４を背面液晶パネル１２に表示する。画面３４には、撮影に関する設定であって、選択可能な項目「場面にあわせて撮る」「テクニックを使って撮る」が表示される。ユーザーは、人物や風景等、場面にあわせて撮影条件を設定する場合には「場面にあわせて撮る」を、シャッタースピードや絞り等を手動で設定する場合には「テクニックを使って撮る」を、十字操作キー２２の上下ボタンを用いて選択する。なお、図６においては、「場面にあわせて撮る」が選択されている。また、画面３４には、十字操作キー２２の左ボタンを押下すると前の画面（この場合では画面３２）に戻れることを示す「戻るマーク」３４ａが表示される。
【００２４】
次に、ユーザーにより十字操作キー２２の上下ボタンを用いて「場面にあわせて撮る」が選択され、その選択を確定するためにＯＫ（決定）ボタン２３が押下されると、制御部２６は、図７に示すように、「場面にあわせて撮る」場合の更なる撮影に関する設定を行うための画面３６を背面液晶パネル１２に表示する。画面３６には、選択可能な項目「おまかせで撮る」「フラッシュを使わずに撮る」「遠くの被写体を撮る」「花や小物をアップで撮る」「子供の寝顔を撮る」等が表示される。ユーザーは、所望の項目を十字操作キー２２の上下ボタンを用いて選択する。なお、図７においては、「おまかせで撮る」が選択されている。また、画面３６には、「おまかせで撮る」「フラッシュを使わずに撮る」「遠くの被写体を撮る」「花や小物をアップで撮る」「子供の寝顔を撮る」以外にも選択項目が存在することを示すスクロールバー３６ａが表示されている。
【００２５】
次に、ユーザーにより十字操作キー２２の上下ボタンを用いて「おまかせで撮る」が選択され、ＯＫ（決定）ボタン２３が押下されると、制御部２６は、図８に示すように、「おまかせで撮る」場合における説明を行うための画面３８を背面液晶パネル１２に表示する。「おまかせで撮る」は、ガイドモード下におけるオート撮影モードであることから、オート撮影モードに設定された旨と、そのオート撮影モード下での撮影方法等の説明がメッセージ表示エリア３８ａに表示される。ユーザーは、このオート撮影モードにおいて撮影を行う場合には、画面３８上の「撮影を始める」を選択し、ＯＫ（決定）ボタン２３を押下する。
【００２６】
次に、図６に示す画面３４上に表示されている「テクニックを使って撮る」を選択した場合について説明する。「テクニックを使って撮る」が選択され、ＯＫ（決定）ボタン２３が押下されると、制御部２６は、図９に示すように、「テクニックを使って撮る」場合の更なる撮影に関する設定を行うための画面４０を背面液晶パネル１２に表示する。画面４０には、選択可能な項目「人物の動きを止めて撮る」「乗り物の動きを止めて撮る」「背景をぼかして撮る」が表示される。なお、図９においては、「人物の動きを止めて撮る」が選択されている。
【００２７】
次に、「人物の動きを止めて撮る」が選択され、ＯＫ（決定）ボタン２３が押下されると、制御部２６は、図１０に示すように、「人物の動きを止めて撮る」場合におけるアドバイス情報を含む説明を行うための画面４２を背面液晶パネル１２に表示する。即ち、画面４２には、ガイドモード下におけるＳモード（シャッター優先オート／上述のシャッター優先露出モードと同様にシャッター速度はユーザーによる手動設定値を使用する露出モード）に設定された旨と、Ｓモードにおいてシャッタースピードを設定する際の推奨する値を示すアドバイス情報等がメッセージ表示エリア４２ｃに表示される。なお、画面４２には、ガイドモード下におけるＳモードに移行した旨を示す撮影モードマーク４２ａ、ＯＫ（決定）ボタン２３を押下すると次の画面（この場合では画面４４（図１１参照））に進むことを示す「進むマーク」４２ｂが表示される。
【００２８】
ここで、本実施形態では、上述したモードダイヤル１０で操作位置１０ｍが選択された場合（即ちモードダイヤルでシャッター優先露出モードに設定された場合）も、背面液晶パネル１２にそのモードに設定されている旨を示すモードマークを表示するが、この場合のモードマークには上述したガイドモード下で設定したシャッター優先露出モードを示すモードマーク４２ａで示されるような「ＧＵＩＤＥ」の文字記号の付記の無い「Ｓ」マーク（不図示）が表示される。これについては他のモード（プログラム露出モード「Ｐ」，マニュアル露出モード「Ｍ」、絞り優先露出モード「Ａ」、及び既述のオート撮影モード）におけるモードマーク表示においても同様である。このようにモードマークの表示形態を（「ＧＵＩＤＥ」の文字付きか否か）異ならせることによって、現在カメラ２に設定されているモードがガイドモード下にて設定されたモードであるか否かをユーザーが一目で識別することが可能となる。
【００２９】
次に、ＯＫ（決定）ボタン２３が押下されると、制御部２６は、図１１に示すように、シャッタースピードを設定するための画面４４を背面液晶パネル１２に表示する。画面４４には、十字操作キー２２の上下ボタンを用いてシャッタースピードを設定することを示す「設定マーク」４４ａ及びシャッタースピードを設定する際のアドバイス情報がメッセージ表示エリア４４ｂに表示されている。ユーザーは、十字操作キー２２の上下ボタンを用いてシャッタースピード設定表示エリア４４ｃでシャッタースピードを確認しながらシャッタースピードを設定する。なおシャッタースピード設定表示エリア４４ｃの左側には、そのシャッタースピードの変更に応じて変化する絞り値を絞り開口の様子と共に表示する絞り表示エリアが設けられている。ユーザーによりシャッタースピードが設定され、ＯＫ（決定）ボタン２３が押下されると、制御部２６は、図１２に示すように、設定されたシャッタースピード等を示す画面４６を背面液晶パネル１２に表示する。ユーザーは、オート撮影モードにおいて撮影を行う場合には、画面４６上の「撮影を始める」を選択し、ＯＫ（決定）ボタン２３を押下する。
【００３０】
また、図９の画面４０において「背景をぼかして撮る」が選択された場合には、制御部２６は、図１３に示すように、「背景をぼかして撮る」場合におけるアドバイス情報を含む説明を行うための画面４８を背面液晶パネル１２に表示する。即ち、画面４８には、ガイドモード下におけるＡモード（絞り優先オート）に設定された旨と、Ａモードにおいて絞りを設定する際の効果等を示すアドバイス情報等がメッセージ表示エリア４８ｂに表示される。なお、画面４８には、ガイドモード下におけるＡモードに移行した旨を示す撮影モードマーク４８ａが表示される。次に、ＯＫ（決定）ボタン２３が押下されると、制御部２６は、図１４に示すように、背面液晶パネル１２に絞り値を設定するための画面５０を表示する。絞り値設定表示エリア５０ａで絞り値を確認しながら、十字操作キー２２の上下ボタンを用いたユーザー操作により絞り値が設定され、ＯＫ（決定）ボタン２３が押下されると、制御部２６は、図１５に示すように、設定された絞り値等を示す画面５２を背面液晶パネル１２に表示する。なお絞り値設定表示エリア５０ａの左側には、その設定絞り値に応じた絞りの開口状態を表示する。
【００３１】
次に、図５に示す画面３２上に表示されている「見る・消す」を選択した場合について説明する。「見る・消す」が選択されると、制御部２６は、図１６に示すように、記録媒体３０に記録済みの画像の背面液晶パネル１２への再生表示、または記録媒体３０に記録済みの画像の記録媒体３０からの削除に関する設定を行うための画面５４を背面液晶パネル１２に表示する。画面５４には、再生または削除に関する設定であって、選択可能な項目「１枚見る」「複数枚を見る」「日付を選んで撮る」「スライドショーで見る」「撮影した画像を消す」が表示される。なお、図１６においては、「１枚見る」が選択されている。
【００３２】
「１枚見る」が選択されると、制御部２６は、記録媒体３０に記録されている画像の中で記録媒体３０に最後に記録された「最新の画像」（或いは記録媒体に最初に記録された「最古の画像」）を背面液晶パネル１２に再生表示する。十字操作キー２２の左右ボタンを押下することにより、現在表示されている画像の前または後に記録されている画像を順次コマ送り再生表示し、前後の画像の再生表示方法をユーザーに示す情報（例えば１コマ前または１コマ後ろにコマ送りして表示させたいときにはどの操作部材を操作すれば良いか、等の情報）が画像と共に背面液晶パネル１２に表示される。
【００３３】
「複数枚を見る」が選択されると、制御部２６は、一画面に再生表示するコマ数（例えば、「４コマづつ」や「９コマづつ」等）を選択するための画面を背面液晶パネル１２に表示する。コマ数が選択されると、制御部２６は、記録媒体３０に記録されている画像の中から、選択されたコマ数分の最新（または最古）の画像のサムネイル画像（例えば「４コマづつ」が選択された場合には、４コマ分それぞれに対応する４つのサムネイル画像）を一画面として背面液晶パネル１２に再生表示する。十字操作キー２２の左右ボタンを押下することにより前後の画像のサムネイル画像を（選択コマ数分のサムネイル画像を一画面として）再生表示し、前後の画像のサムネイル画像の再生表示方法をユーザーに示す情報（例えば次の４コマ１画面を画面送りして表示させたいときにはどの操作部材を操作すれば良いか、等の情報）がサムネイル画像と共に背面液晶パネル１２に表示される。
【００３４】
「日付を選んで見る」が選択されると、制御部２６は、日付を入力するための画面（例えば、カレンダー等）を背面液晶パネル１２に表示する。日付が選択されると、制御部２６は、記録媒体３０に記録されている画像の中から、選択された日付に撮影された画像を自動抽出し、その抽出された画像を背面液晶パネル１２に再生表示する。十字操作キー２２の左右ボタンを押下することにより前後の画像を順次コマ送りして再生表示し、前後の画像の再生表示方法をユーザーに示す情報（上記と同様な情報）が画像と共に背面液晶パネル１２に表示される。
【００３５】
「スライドショーで見る」が選択されると、制御部２６は、スライドショーで画像を再生表示するための設定（例えば、インターバル時間の設定等）を行うための画面を背面液晶パネル１２に表示する。スライドショーで画像を再生表示するための設定がなされると、制御部２６は、記録媒体３０に記録されている画像を、設定内容に従って背面液晶パネル１２に順次自動的にコマ送りしながらスライドショー再生表示する。
【００３６】
「撮影した画像を消す」が選択されると、制御部２６は、図１７に示すように、記録媒体３０に記録されている画像の削除に関する設定を行うための画面５６を背面液晶パネル１２に表示する。画面５６には、選択可能な項目「複数画像をまとめて消す」「日付を指定して消す」「すべての画像を消す」が表示される。なお、図１７においては、「複数画像をまとめて消す」が選択されている。
【００３７】
「複数画像をまとめて消す」が選択されると、制御部２６は、記録媒体３０に記録されている画像のサムネイル画像の一覧を背面液晶パネル１２に表示する。すべてのサムネイル画像を一画面に表示できない場合には、例えば背面液晶パネル１２の右側に設けられたスクロールバーを用いて、画面を前後させることによりすべてのサムネイル画像を表示可能とする。ユーザーにより、削除したい画像のサムネイル画像が選択され、ＯＫ（決定）ボタン２３が押下されると、制御部２６は、「削除しますか？」等の削除を確認するメッセージ、及びその確認に対してユーザー操作により選択可能な項目「はい」「いいえ」等を背面液晶パネル１２に表示する。十字操作キー２２及びＯＫ（決定）ボタン２３によるユーザー操作により「はい」が選択されると、制御部２６は、選択された画像の記録媒体３０からの削除を実行する。一方、ユーザー操作により「いいえ」が選択されると、制御部２６は、選択された画像の記録媒体３０からの削除を中止する。
【００３８】
「日付を指定して消す」が選択されると、制御部２６は、日付を選択するための画面（例えば、カレンダー等）を背面液晶パネル１２に表示する。ユーザー操作により、日付が選択され、ＯＫ（決定）ボタン２３が押下されると、制御部２６は、「複数画像をまとめて消す」場合と同様に、削除を確認するメッセージ等を背面液晶パネル１２に表示し、ユーザーの選択操作に従って、画像の記録媒体３０からの削除を実行または中止する。
【００３９】
「すべての画像を消す」が選択されると、制御部２６は、「すべての画像を削除します。よろしいですか？」等の全削除を確認するメッセージ、及びその確認に対してユーザー操作により選択可能な項目「はい」「いいえ」等を背面液晶パネル１２に表示し、ユーザーの選択操作に従って、画像の記録媒体３０からの削除を実行または中止する。
【００４０】
次に、図５に示す画面３２上に表示されている「設定する」を選択した場合について説明する。「設定する」が選択されると、制御部２６は、図１８に示すように、カメラ２に関する設定を行うための画面５８を背面液晶パネル１２に表示する。画面５８には、カメラ２に関する設定であって、選択可能な項目「画質モード」「画像サイズ」「液晶モニターの明るさ」「地域と日時」「パワーオフ時間」などが表示される。なお、図１８においては、「画質モード」が選択されている。また、画面５８の「画質モード」の右側には、現在設定されている画質モードが表示されている（図１８では「ＦＩＮＥ」）。同様に、「画像サイズ」の右側には現在設定されている画像サイズ（図１８では「Ｌ（大）」）、「液晶モニターの明るさ」の右側には現在設定されている背面液晶パネル１２の明るさ（図１８では「＋１」）、「パワーオフ時間」の右側には現在設定されているパワーオフ時間（図１８では「ＮＯＲＭ（ノーマル）」）が表示されている。また、画面５８には、「画質モード」「画像サイズ」「液晶モニターの明るさ」「地域と日時」「パワーオフ時間」以外にも選択項目が存在することを示すスクロールバー５８ａが表示されている。
【００４１】
ここで、ガイドモード下のカメラ２に関する設定で挙げられる選択項目は、通常の（ガイドモード下でない）カメラ２に関する設定での選択項目の中で、設定頻度の高い項目、初心者が容易に設定可能な項目等を抽出して構成されている。即ち、設定頻度の低い項目や上級者向けの設定項目が選択項目から予め除外されているため、ガイドモード下のカメラ２に関する設定では、通常のカメラ２に関する設定より容易に（早く）所望の選択項目を探し出すことができる。
【００４２】
制御部２６は、「画質モード」が選択されると、選択可能な画質の種類を表示し、「画像サイズ」が選択されると、選択可能な画像サイズの種類を表示し、「液晶モニターの明るさ」が選択されると、明るさを設定するための画面を表示し、「地域と日時」が選択されると、「地域の設定」「日時の設定」「日付の表示方法」「夏時間の設定」等の選択可能な項目を表示し、「パワーオフ時間」が選択されると、選択可能なパワーオフ時間（通常動作モードを継続する継続時間）の種類を表示する。そして、ユーザーにより設定項目に関する所望の設定値が選択されると、制御部２６は、選択された所望の設定値に基づいて、設定項目の設定を行う。
【００４３】
なお、上述の「見る・消す」または「設定する」を選択してから、設定を終了するまでの間、例えば図１６〜１８に示すように、カメラ２は、ガイドモード下のオート撮影モードに設定されている。したがって、再生、削除またはカメラ２に関する設定を行っている間いつでも、撮影を実行することが可能である。この場合には、撮影条件等が自動で設定されるため、撮影に失敗する率は少ない。
【００４４】
制御部２６は、ガイドモード下で撮影またはカメラ２に関する設定等が終了した後、図１９に示すように、撮影待機状態の画面６０を背面液晶パネル１２に表示する。即ち、ユーザーにより例えば図８に示す画面３８、図１２に示す画面４６、または図１５に示す画面５２上の「撮影を始める」が選択され、ＯＫ（決定）ボタン２３が押下されると、制御部２６は、画面６０を背面液晶パネル１２に表示する。画面６０の上部左側には、選択されている撮影モード（図１９ではＡモード）を示し、かつガイドモード下で設定されたものであるか否か（図１９ではガイドモード下で設定されたものであることを示すＧＵＩＤＥ）を示すマーク６０ａが表示されている。なお既述したように、通常の（ガイドモード下で設定されていない）Ａモードが選択されている場合には、マーク６０ａ下部に表記されている「ＧＵＩＤＥ」が表記されない。このように、マーク６０ａを確認することにより、ガイドモード下で設定されたものであるか否かを容易に判別することができる。
【００４５】
また、画面６０には、設定されているシャッタースピード６０ｂ、設定されている絞り値６０ｃ、選択されているオートフォーカスエリア（図１９では、主要被写体領域、例えば顔認識等で自動識別される領域にピントを合わせるＡＵＴＯ設定となっている）６０ｄ、設定されている画質モード６０ｅ、設定されている画像サイズ６０ｆ、設定されているホワイトバランス６０ｇ、設定されているＩＳＯ感度６０ｈ、設定されている測光モード６０ｉ等が表示される。
【００４６】
上述したように、ガイドモードを用いた場合、ガイドモードから案内に従って順序良く様々な設定を行うことができるため、ユーザーが初心者であっても被写体に適した撮影条件を容易に設定することができ、撮影をより楽しむことができる。また、ガイドモードからは、撮影に関する設定のみならず、撮影した画像の再生に関する設定も案内に従って順序良く行うことができるため、ユーザーが初心者であっても例えばスライドショーやサムネイル画像表示等、様々な再生表示を容易に楽しむことができる。更に、ガイドモードからは、撮影した画像の削除に関する設定も案内に従って順序良く行うことができるため、ユーザーが初心者であっても不要な画像を間違い無く且つ容易に削除することができる。更にまた、ガイドモードからは、カメラ２に関する設定も行うことができ、ガイドモードにおいては設定頻度の高い項目等が抽出されているため、設定したい項目を容易に見つけ出すことができ、カメラ２に関する設定を容易に行うことができる。
【００４７】
次に、図２０に示すフローチャートを参照して、実施の形態に係るカメラ２において、低消費電力モード状態での制御部２６の動作について説明する。なお、この実施の形態では、通常動作モードを継続させる継続時間が予め設定されている。そして、通常動作モード状態下で操作された場合に、その操作に応じて継続時間の計時をリセットして、延長させる（継続時間の再計時を開始する）よう設定されている所定操作（例えば、レリーズスイッチ６の押下操作等）がなされることなく（即ち無操作で）、その継続時間が経過した場合には、制御部２６は、カメラ２を通常動作モードから低消費電力モードに切り換える。
【００４８】
通常動作モードを継続させる継続時間は変更可能であり、モードダイヤル１０で操作位置（ガイドモード）１０ａを選択している場合における継続時間（以下、第１継続時間という）と、モードダイヤル１０で操作位置１０ｂ〜１０ｎを選択している場合における継続時間（以下、第２継続時間という）とは、独立して設定可能である。また、操作位置（ガイドモード）１０ａを選択するユーザーとしては、カメラ２の各種設定等に時間を要する初心者を想定しているため、カメラ２内に予め設定されている初期設定値では、第１継続時間は第２継続時間より長く設定されている。なお、第１継続時間及び第２継続時間はユーザーにより任意に変更可能であるため、第１継続時間と第２継続時間を同一の長さに設定してもよく、第２継続時間を第１継続時間より長く設定してもよい。
【００４９】
まず、制御部２６は、低消費電力モード状態において、モードダイヤル１０が操作位置１０ａ以外から操作位置１０ａに切換操作されたか否か、即ちガイドモードへの選択操作がなされたか否かを判別する（ステップＳ１０）。
【００５０】
次に、予め決められている所定時間だけ、その状態、即ちモードダイヤル１０が操作位置１０ａに存在している状態が継続している（維持されている）か否かを判別する（ステップＳ１１）。
【００５１】
このステップＳ１０とステップＳ１１で行っていることは、ユーザーがモードダイヤル１０を回転操作するときに、指標１１に、ガイドモード位置である操作位置１０ａを合わせようとして操作したものなのか、それ以外の操作位置（１０ｂ〜１０ｎ）に合わせようとする過程において操作位置１０ａを一瞬通過したものなのかを見極めることである。操作位置１０ａが一瞬通過しただけであれば、指標１１に操作位置１０ａを所定時間合わせ続けることは無いので、このような操作とガイドモードへの設定操作とを見極めるために、ステップＳ１０で操作位置１０ａへの設定が検出されると計時を開始するタイマー（制御部２６内にある）が所定時間の計時を完了したときに再度ステップＳ１１で操作位置１０ａが指標１１に対向配置された状態であるか否かの判別を行っている。
【００５２】
ステップＳ１０において、操作位置（ガイドモード）１０ａが選択されていない、即ち操作位置１０ｂ〜１０ｎが選択されていると判別された場合には（ステップＳ１０、Ｎｏ）、制御部２６は、低消費電力モードを維持させる。一方、ステップＳ１０において操作位置（ガイドモード）１０ａが選択されていると判別された場合には（ステップＳ１０、Ｙｅｓ）、制御部２６は、上述の所定時間が経過した後、モードダイヤル１０により操作位置（ガイドモード）１０ａが選択されているか否かを再度判別する（ステップＳ１１）。ステップＳ１１において、ステップＳ１０の処理と同様に、ガイドモードが選択されていない、即ち操作位置１０ｂ〜１０ｎが選択されていると判別された場合には（ステップＳ１１、Ｎｏ）、制御部２６は、モードダイヤル１０を回している過程で操作位置（ガイドモード）１０ａを選択したのでなく通過したのみであると判別し、低消費電力モードを維持させる。一方、ステップＳ１１においてガイドモードが選択されていると判別された場合には（ステップＳ１１、Ｙｅｓ）、制御部２６は、操作位置（ガイドモード）１０ａが所定時間継続して選択され続けている、即ちガイドモードへのモード切換操作が実行されたものと判別し、カメラ２を低消費電力モードから通常動作モードへ切り換える（ステップＳ１２）。そして、制御部２６は、図５に示す画面３２を背面液晶パネル１２に表示する。
【００５３】
次に、制御部２６は、通常動作モード状態で、且つガイドモード下において、何らかの操作がなされたか否かを判別する（ステップＳ１３）。例えば、図５に示す画面３２に表示されている選択項目の何れかを十字操作キー２２を用いて選択し、ＯＫ（決定）ボタン２３を用いて決定する等の操作がなされたか否かを判別する。ステップＳ１３において何らかの操作がなされたと判別された場合には（ステップＳ１３、Ｙｅｓ）、制御部２６は、通常動作モードを継続させる継続時間（予め設定されている第１継続時間）をリセットし、即ち０に戻し、ステップＳ１３の処理に戻る。
【００５４】
一方、ステップＳ１３において何らかの操作がなされていないと判別された場合には（ステップＳ１３、Ｎｏ）、通常動作モードに切換えられてから継続時間（第１継続時間）が経過したか否かを判別する（ステップＳ１５）。ステップＳ１５において継続時間が経過していないと判別された場合には（ステップＳ１５、Ｎｏ）、制御部２６は、ステップＳ１３の処理に戻り、ステップＳ１３〜Ｓ１５の処理を繰り返す。一方、ステップＳ１５において継続時間が経過したと判別された場合には（ステップＳ１５、Ｙｅｓ）、制御部２６は、カメラ２を通常動作モードから低消費電力モードへ切り換える（ステップＳ１６）。
【００５５】
なお、ステップＳ１２においてカメラ２を低消費電力モードから通常動作モードへ切り換えた後であって、第１継続時間が経過する前に（即ち通常動作モード状態で）、ユーザーがモードダイヤル１０を操作して、ガイドモード位置である操作位置１０ａ以外の操作位置１０ｂ〜１０ｎの何れかへの選択（モード切換）操作がなされた場合には（即ち通常動作モード状態下において、ガイドモードからガイドモード以外へのモード切換操作がなされた場合には）、制御部２６は、そのモード切換操作がなされたタイミングで、カメラ２を通常動作モードから低消費電力モードへ切り換える。
【００５６】
この実施の形態に係るカメラ２によれば、モードダイヤル１０でガイドモードが選択されている場合には通常動作モードに切換えられ、ガイドモード以外の撮影モードが選択されている場合には低消費電力モードに切換えられる。即ち、背面液晶パネル１２を視認しつつ外部操作を行う必要がある場合のみ通常動作モードに切換えられ、背面液晶パネル１２を視認する必要がない場合には低消費電力モードに切換えられる。したがって、ガイドモードが選択された場合にはレリーズスイッチ６等を半押しする等して通常動作モードに切換えする必要もない。また、ガイドモード以外の撮影モードが選択されている場合には低消費電力モードに切換えられるため、消費電力を低減させることができる。
【００５７】
なお、この実施の形態においては、通常動作モード状態でガイドモードから他のモードに選択操作された場合には、第１継続時間が経過していなくとも低消費電力モードへ切換えられる構成にしたが、この場合においては通常動作モードを維持する構成にすることもできる。この場合には、ガイドモードから他のモードに選択操作された場合、または他のモード間での選択変更操作がなされた場合であっても、第１継続時間はリセットされない（即ち、延長されない）。
【００５８】
また、この実施の形態においては、ガイドモード下で何らかの操作がなされると第１継続時間がリセットされることについて説明したが、ガイドモード以外の他のモード下で何らかの操作がなされた場合においても第２継続時間がリセットされるようにしてもよい。
【符号の説明】
【００５９】
２…カメラ、４…電源スイッチ、６…レリーズスイッチ、１０…モードダイヤル、１２…背面液晶パネル、１４…再生ボタン、１６…メニューボタン、１８…縮小ボタン、２０…拡大ボタン、２２…十字操作キー、２３…ＯＫ（決定）ボタン、２６…制御部、２８…撮像素子、３０…記録媒体。
【図１】
0005434327.tif 000002
【図２】
0005434327.tif 000003
【図３】
0005434327.tif 000004
【図４】
0005434327.tif 000005
【図５】
0005434327.tif 000006
【図６】
0005434327.tif 000007
【図７】
0005434327.tif 000008
【図８】
0005434327.tif 000009
【図９】
0005434327.tif 000010
【図１０】
0005434327.tif 000011
【図１１】
0005434327.tif 000012
【図１２】
0005434327.tif 000013
【図１３】
0005434327.tif 000014
【図１４】
0005434327.tif 000015
【図１５】
0005434327.tif 000016
【図１６】
0005434327.tif 000017
【図１７】
0005434327.tif 000018
【図１８】
0005434327.tif 000019
【図１９】
0005434327.tif 000020
【図２０】
0005434327.tif 000021